(57)【要約】【課題】ユーザ端末に対して複数の送信ポイントから下りリンク信号を送信する場合であっても、受信精度の低下を抑制すること。【解決手段】複数の無線基地局と、複数の無線基地局装置と通信可能に構成されたユーザ端末と、を備えた無線通信システムであって、無線基地局に、ユーザ端末に通知するシグナリング情報を利用した擬似ランダム系列を用いて参照信号を生成する生成部と、参照信号を含む下りリンク信号をユーザ端末に送信する送信部と、を設け、ユーザ端末に、参照信号の疑似ランダム系列に対して通知されるシグナリング情報に基づいて、各下りリンク信号の種別を判断する判断部と、下りリンク信号の種別に応じて信号処理を行う信号処理部とを設ける。【選択図】図４
2014064120.tif 000002
【特許請求の範囲】
【請求項１】
複数の無線基地局と、前記複数の無線基地局と通信可能に構成されたユーザ端末と、を備えた無線通信システムであって、
前記無線基地局は、ユーザ端末に通知するシグナリング情報を利用した擬似ランダム系列を用いて参照信号を生成する生成部と、前記参照信号を含む下りリンク信号をユーザ端末に送信する送信部と、を有し、
前記ユーザ端末は、参照信号の疑似ランダム系列に対して通知されるシグナリング情報に基づいて、各下りリンク信号間の関係を判断する判断部と、前記下りリンク信号間の関係に基づいて信号処理を行う信号処理部と、を有することを特徴とする無線通信システム。
【請求項２】
前記判断部は、前記参照信号の疑似ランダム系列に対して通知されるシグナリング情報とサービングセルのセルＩＤとに基づいて、前記各下りリンク信号間の関係を判断することを特徴とする請求項１記載の無線通信システム。
【請求項３】
前記参照信号が、復調用参照信号（ＤＭ−ＲＳ）又はチャネル状態測定用参照信号（ＣＳＩ−ＲＳ）であることを特徴とする請求項２記載の無線通信システム。
【請求項４】
前記判断部は、異なるアンテナポートに割当てられる各参照信号の疑似ランダム系列に対してそれぞれ通知されるシグナリング情報に基づいて、前記各参照信号間の関係を判断することを特徴とする請求項１記載の無線通信システム。
【請求項５】
前記各参照信号が、復調用参照信号（ＤＭ−ＲＳ）とチャネル状態測定用参照信号（ＣＳＩ−ＲＳ）であることを特徴とする請求項４記載の無線通信システム。
【請求項６】
前記各参照信号が、アンテナポートが異なる復調用参照信号（ＤＭ−ＲＳ）、又はアンテナポートが異なるチャネル状態測定用参照信号（ＣＳＩ−ＲＳ）であることを特徴とする請求項４記載の無線通信システム。
【請求項７】
前記復調用参照信号（ＤＭ−ＲＳ）の疑似ランダム系列に対して通知されるシグナリング情報は、以下の（式１）におけるＸであることを特徴とする請求項３、５、６のいずれかに記載の無線通信システム。
【数１】
2014064120.tif 000006
【請求項８】
前記チャネル状態測定用参照信号（ＣＳＩ−ＲＳ）の疑似ランダム系列に対して通知されるシグナリング情報は、以下の（式３）におけるＸであることを特徴とする請求項３、５、６のいずれかに記載の無線通信システム。
【数２】
2014064120.tif 000007
【請求項９】
複数の無線基地局と通信可能に構成されたユーザ端末であって、
前記複数の無線基地局から擬似ランダム系列を用いて生成された参照信号と、前記参照信号の疑似ランダム系列に対して通知されるシグナリング情報とを受信する受信部と、
前記参照信号の疑似ランダム系列に対して通知されるシグナリング情報に基づいて、各下りリンク信号間の関係を判断する判断部と、
前記下りリンク信号間の関係に基づいて信号処理を行う信号処理部と、を有することを特徴とするユーザ端末。
【請求項１０】
複数の無線基地局と、前記複数の無線基地局と通信可能に構成されたユーザ端末と、を備えた無線通信システムにおける無線基地局であって、
前記ユーザ端末に通知するシグナリング情報を利用した擬似ランダム系列を用いて参照信号を生成する生成部と、
前記参照信号を含む下りリンク信号を前記ユーザ端末に送信する送信部と、
前記ユーザ端末からフィードバックされるチャネル状態情報（ＣＳＩ）を受信する受信部と、を有し、
前記チャネル状態情報（ＣＳＩ）は、前記ユーザ端末において、前記シグナリング情報に基づいて選択された所定の下りリンク信号を用いて生成されていることを特徴とする無線基地局。
【請求項１１】
複数の無線基地局と、前記複数の無線基地局と通信可能に構成されたユーザ端末と、を備えた無線通信システムの無線通信方法であって、
前記無線基地局は、ユーザ端末に通知するシグナリング情報を利用した擬似ランダム系列を用いて参照信号を生成する工程と、前記参照信号を含む下りリンク信号をユーザ端末に送信する工程と、を有し、
前記ユーザ端末は、参照信号の疑似ランダム系列に対して通知されるシグナリング情報に基づいて、各下りリンク信号間の関係を判断する工程と、前記下りリンク信号間の関係に基づいて信号処理を行う工程と、を有することを特徴とする無線通信方法。
【発明の詳細な説明】
【技術分野】
【０００１】
本発明は、セルラーシステム等に適用可能な無線通信システム、無線基地局、ユーザ端末及び無線通信方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband−Code  Division  Multiple  Access）をベースとしたシステムの特徴を最大限に引き出すことが行われている。このＵＭＴＳネットワークについては、更なる高速データレート、低遅延などを目的としてＬＴＥ（Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【０００４】
ところで、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。
【０００５】
そこで、３ＧＰＰ（3rd  Generation  Partnership  Project）では、セル間直交化を実現するための技術として、協調マルチポイント送受信（ＣｏＭＰ：Coordinated  Multi-Point  transmission/reception）技術が検討されている。このＣｏＭＰ送受信では、１つあるいは複数のユーザ端末ＵＥに対して複数のセルが協調して送受信の信号処理を行う。例えば、下りリンクでは、プリコーディングを適用する複数セル同時送信、協調スケジューリング／ビームフォーミングなどが検討されている。これらのＣｏＭＰ送受信技術の適用により、特にセル端に位置するユーザ端末ＵＥのスループット特性の改善が期待される。
【先行技術文献】
【非特許文献】
【０００６】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００７】
このように、ＬＴＥ  Ｒｅｌ．１０以前では、ユーザ端末は下りリンク信号が単一の無線基地局から送信されていると想定して受信処理を行えばよかった。しかしながら、Ｒｅｌ．１１以降では、上述したＣｏＭＰ技術等の導入に伴い、下りリンク信号が複数の送信ポイント（transmission  point）から送信される場合がある。
【０００８】
複数の送信ポイント（無線基地局）からユーザ端末に下りリンク信号が送信される場合、ユーザ端末と複数の送信ポイントの位置等に応じて、各送信ポイントから送信される下りリンク信号の特性（受信信号レベル、受信タイミング等）がそれぞれ異なる場合がある。このような場合に、ユーザ端末が従来と同様に、下りリンク信号が単一の無線基地局から送信されていると想定して受信処理を行うと、十分な受信精度が得られないおそれがある。
【０００９】
本発明はかかる点に鑑みてなされたものであり、ユーザ端末に対して複数の送信ポイントから下りリンク信号を送信する場合であっても、受信精度の低下を抑制できる無線通信システム、無線基地局、ユーザ端末及び無線通信方法を提供することを目的とする。
【課題を解決するための手段】
【００１０】
本発明の無線通信システムは、複数の無線基地局と、前記複数の無線基地局と通信可能に構成されたユーザ端末と、を備えた無線通信システムであって、前記無線基地局は、ユーザ端末に通知するシグナリング情報を利用した擬似ランダム系列を用いて参照信号を生成する生成部と、前記参照信号を含む下りリンク信号をユーザ端末に送信する送信部と、を有し、前記ユーザ端末は、参照信号の疑似ランダム系列に対して通知されるシグナリング情報に基づいて、各下りリンク信号間の関係を判断する判断部と、前記下りリンク信号間の関係に基づいて信号処理を行う信号処理部と、を有することを特徴とする。
【発明の効果】
【００１１】
本発明によれば、ユーザ端末に対して複数の送信ポイントから下りリンク信号を送信する場合であっても、受信精度の低下を抑制することができる。
【図面の簡単な説明】
【００１２】
【図１】協調マルチポイント送信を説明するための図である。
【図２】協調マルチポイント送信を説明するための図である。
【図３】協調マルチポイント送信において各送信ポイントから送信される下りリンク信号の受信電力を説明する図である。
【図４】複数の送信ポイントから送信される下りリンク信号の割当てパターンの一例を示す図である。
【図５】複数の送信ポイントから送信される下りリンク信号の割当てパターンの他の一例を示す図である。
【図６】複数の送信ポイントから送信される下りリンク信号の割当てパターンの他の一例を示す図である。
【図７】複数の送信ポイントから送信される下りリンク信号の割当てパターンの他の一例を示す図である。
【図８】無線通信システムのシステム構成を説明するための図である。
【図９】無線基地局の全体構成を説明するための図である。
【図１０】無線基地局のベースバンド処理部に対応した機能ブロック図である。
【図１１】ユーザ端末の全体構成を説明するための図である。
【図１２】ユーザ端末のベースバンド処理部に対応した機能ブロック図である。
【発明を実施するための形態】
【００１３】
以下、本発明の実施の形態について、添付図面を参照して詳細に説明する。
【００１４】
まず、下りリンクのＣｏＭＰ送信について説明する。下りリンクのＣｏＭＰ送信としては、Coordinated  Scheduling/Coordinated  Beamformingと、Joint  processingとがある。Coordinated  Scheduling/Coordinated  Beamformingは、１つのユーザ端末ＵＥに対して１つのセルからのみ共有データチャネルを送信する方法であり、他セルからの干渉や他セルへの干渉を考慮して周波数／空間領域における無線リソースの割り当てを行う。一方、Joint  processingは、プリコーディングを適用して複数のセルから同時に共有データチャネルを送信する方法であり、１つのユーザ端末ＵＥに対して複数のセルから共有データチャネルを送信するJoint  Transmission（ＪＴ）と、瞬時に１つのセルを選択し共有データチャネルを送信するDynamic  Point  Selection（ＤＰＳ）とがある。
【００１５】
ＣｏＭＰ送受信を適用する環境としては、例えば、無線基地局（無線基地局ｅＮＢ）に対して光ファイバ等で接続された複数の遠隔無線装置（ＲＲＥ：Remote  Radio  Equipment）とを含む構成（ＲＲＥ構成に基づく集中制御）と、無線基地局（無線基地局ｅＮＢ）の構成（独立基地局構成に基づく自律分散制御）とがある。ＲＲＥ構成においては、図１に示すように、遠隔無線装置ＲＲＥを無線基地局ｅＮＢで集中的に制御する。ＲＲＥ構成では、複数の遠隔無線装置ＲＲＥのベースバンド信号処理及び制御を行う無線基地局ｅＮＢ（集中基地局）と各セル（すなわち、各遠隔無線装置ＲＲＥ）との間が光ファイバを用いたベースバンド信号で接続されるため、セル間の無線リソース制御を集中基地局において一括して行うことができる。したがって、ＲＲＥ構成においては、下りリンクでは、複数セル同時送信のような高速なセル間の信号処理を用いる方法が適用できる。図１においては、遠隔無線装置ＲＲＥの送信電力は、無線基地局（マクロ基地局）ｅＮＢの送信電力と同程度である（高送信電力ＲＲＥ）。
【００１６】
ＣｏＭＰ送受信を適用する別の環境としては、図２に示すように、無線基地局（マクロ基地局）ｅＮＢのカバーエリア内に遠隔無線装置ＲＲＥを複数配置してなるオーバレイ型ネットワーク環境（ヘテロジニアス環境）がある。この環境においては、マクロ基地局ｅＮＢのセルと遠隔無線装置ＲＲＥのセルとが異なる、すなわち、マクロ基地局ｅＮＢのセル識別情報（セルＩＤ）と遠隔無線装置ＲＲＥのセルＩＤとが異なる環境（第１ヘテロジニアス環境）と、マクロ基地局ｅＮＢのセルと遠隔無線装置ＲＲＥのセルとが同じ、すなわち、マクロ基地局ｅＮＢのセルＩＤと遠隔無線装置ＲＲＥのセルＩＤとが同じである環境（第２ヘテロジニアス環境）とがある。図２においては、遠隔無線装置ＲＲＥの送信電力は、無線基地局（マクロ基地局）ｅＮＢの送信電力よりも低い（低送信電力ＲＲＥ）。
【００１７】
上述したように、ＣｏＭＰ技術を適用する場合には、ユーザ端末に対して複数の送信ポイントから下りリンク信号（下り制御信号、下りデータ信号、同期信号、参照信号等）が送信される。ユーザ端末は、下りリンク信号に含まれる参照信号（例えば、セル固有参照信号（ＣＲＳ）、復調用参照信号（ＤＭ−ＲＳ）、チャネル状態測定用参照信号（ＣＳＩ−ＲＳ）等）に基づいて受信処理を行う。ユーザ端末は、受信処理としては、例えば、チャネル推定、同期処理、復調処理、フィードバック情報（ＣＳＩ）生成処理等の信号処理を行う。
【００１８】
しかし、ユーザ端末に対して地理的に異なる複数の送信ポイントから下りリンク信号が送信される場合、ユーザ端末において各下りリンク信号の受信信号レベルや受信タイミング等が異なる場合がある（図３Ａ、Ｂ参照）。ユーザ端末は、受信した下りリンク信号（例えば、異なるアンテナポート（ＡＰ：Ａｎｔｅｎｎａ  Ｐｏｒｔ）に割当てられる参照信号）がそれぞれどの送信ポイントから送信された信号であるか把握できない。そして、ユーザ端末が受信した全ての参照信号を用いてチャネル推定や復調処理等を行う場合、受信精度が低下するおそれがある。
【００１９】
そのため、各送信ポイントから送信される参照信号を用いて受信処理を行う場合、ユーザ端末が各送信ポイントの地理的位置（各送信ポイントから送信される下りリンク信号の伝搬路特性）を考慮して、受信処理を行うことが望ましい。そこで、本発明者は、異なるアンテナポート（ＡＰ）間で長期的伝搬路特性が同一である場合を「Ｑｕａｓｉ  ｃｏ−ｌｏｃａｔｉｏｎ」（地理的に同一）であると定義し、Ｑｕａｓｉ  ｃｏ−ｌｏｃａｔｉｏｎを想定した場合と想定しない場合とでユーザ端末がそれぞれ異なる受信処理を行うことを着想した。
【００２０】
なお、長期的伝搬路特性は、遅延スプレッド（Delay  spread）、ドップラースプレッド（Doppler  spread）、周波数シフト（Frequency  shift）、平均受信電力（Average  received  power）、受信タイミング（Received  timing）等を指し、これらの内のいくつか、又は全てが同一である場合にＱｕａｓｉ  ｃｏ−ｌｏｃａｔｉｏｎであると仮定する。つまり、Ｑｕａｓｉ  ｃｏ−ｌｏｃａｔｉｏｎであるとは地理的に同一の場合に相当するが、必ずしも物理的に近接している場合に限られない。
【００２１】
例えば、地理的に離れた（Ｑｕａｓｉ  ｃｏ−ｌｏｃａｔｉｏｎでない）ＡＰから送信が行われた場合、ユーザ端末は、地理的に離れたＡＰから送信が行われたことを認識した上で、地理的に離れたＡＰから送信が行われたことを想定した受信処理を行う。具体的には、地理的に離れたＡＰ毎に受信処理（例えば、チャネル推定、同期処理、復調処理、フィードバック情報（ＣＳＩ）生成処理等の信号処理）をそれぞれ独立して行う。
【００２２】
一例として、地理的に同一（Ｑｕａｓｉ  ｃｏ−ｌｏｃａｔｉｏｎである）と判断したＡＰからＣＲＳが送信され、地理的に離れている（Ｑｕａｓｉ  ｃｏ−ｌｏｃａｔｉｏｎでない）と判断したＡＰ＃１５とＡＰ＃１６からＣＳＩ−ＲＳが送信された場合を想定する。この場合、ユーザ端末は、ＣＲＳを用いて従来と同様にｍｅａｓｕｒｅｍｅｎｔ処理を行う。一方で、ユーザ端末は、ＣＳＩ−ＲＳについては、ＡＰ＃１５とＡＰ＃１６に対してそれぞれ独立のチャネル推定を行った後、チャネル品質情報をそれぞれ生成してフィードバックする。
【００２３】
なお、ユーザ端末において、異なるＡＰ間でＱｕａｓｉ  ｃｏ−ｌｏｃａｔｉｏｎであるかどうかを想定する対象としては、例えば、ＰＳＳ／ＳＳＳ、ＣＲＳ、ＤＭ−ＲＳ（ＰＤＳＣＨ用）、ＤＭ−ＲＳ（ｅＰＤＣＣＨ用）、ＣＳＩ−ＲＳ等が挙げられる。
【００２４】
また、本発明者は、ユーザ端末がＱｕａｓｉ  ｃｏ−ｌｏｃａｔｉｏｎであるか否かを判断する方法として、無線基地局から明示的に通知する方法（ｅｘｐｌｉｃｉｔ）、又は無線基地局から黙示的に通知する方法（ｉｍｐｌｉｃｉｔ）を適用することを着想した。特に、無線基地局から黙示的に通知する場合に、ユーザ端末がＱｕａｓｉ  ｃｏ−ｌｏｃａｔｉｏｎであるか否かを判断する基準として、参照信号（ＤＭ−ＲＳやＣＳＩ−ＲＳ等）の疑似ランダム系列（スクランブル系列）に対して無線基地局から通知されるシグナリング情報を用いることを着想した。
【００２５】
つまり、本実施の形態の一態様では、無線基地局が、ユーザ端末に通知するシグナリング情報を利用した擬似ランダム系列を用いて参照信号を生成し、ユーザ端末が、当該シグナリング情報に基づいて各下りリンク信号間の関係（Ｑｕａｓｉ  ｃｏ−ｌｏｃａｔｉｏｎの送信ポイントから送信された信号であるか否か）を判断して、当該下りリンク信号間の関係に基づいて信号処理を行う。
【００２６】
以下に、本実施の形態で適用可能な参照信号系列について説明する。
【００２７】
＜ＤＭ−ＲＳ＞
ＤＭ−ＲＳ系列ｒ（ｍ）は下記（式１）に示すように定義することができる。この（式１）に含まれる擬似ランダム系列ｃ（ｉ）は、以下のように初期化される（Ｃinit）。この初期化擬似ランダム系列Ｃinitから分かるように、初期化擬似ランダム系列Ｃinit中にユーザ端末に通知されるシグナリング情報Ｘが含まれている。なお、この擬似ランダム系列ｃ（ｉ）は、３１長ゴールド系列を用いて生成される。また、初期化擬似ランダム系列Ｃinit中には、スクランブリング識別情報（ＳＣＩＤ）が含まれている。このＳＣＩＤは、０，１（各サブフレームの初め）の値をとる。
【００２８】
【数１】
2014064120.tif 000003
【００２９】
このように、ＤＭ−ＲＳ系列ｒ（ｍ）を生成する際に用いられる擬似ランダム系列は、ユーザ端末に通知されるシグナリング情報Ｘが規定されている。シグナリング情報Ｘは、上位レイヤシグナリング（例えば、ＲＲＣシグナリング）で無線基地局からユーザ端末に通知することができる。また、ユーザ端末は、無線基地局からシグナリング情報Ｘが通知されない場合には、ＸとしてセルＩＤ（ＮIDcell）を適用することができる。Ｒｅｌ．１０では、ＸがセルＩＤで規定されていたため、Ｘを仮想セルＩＤ（ｖｉｒｔｕａｌ  セルＩＤ）と考えることもできる。
【００３０】
なお、ＤＭ−ＲＳの初期化疑似ランダム系列のＸを具体化した一例としては、下記（式２）に示すように定義することができる。もちろん、本実施の形態で適用可能な疑似ランダム系列は、これらに限られない。
【００３１】
【数２】
2014064120.tif 000004
【００３２】
この場合、ユーザ端末は、無線基地局から通知されるｎID(0)、ｎID(1)が規定された擬似ランダム系列を用いてＤＭ−ＲＳを生成する。また、ユーザ端末は、ｎID(0)、ｎID(1)が無線基地局から通知されない場合には、ｎID(0)、ｎID(1)としてセルＩＤ（ＮIDcell）を適用することができる。
【００３３】
＜ＣＳＩ−ＲＳ＞
ＣＳＩ−ＲＳ系列ｒl,ns（ｍ）は下記（式３）に示すように定義することができる。この（式３）に含まれる擬似ランダム系列ｃ（ｉ）は、以下のように初期化される（Ｃinit）。この初期化擬似ランダム系列Ｃinitから分かるように、初期化擬似ランダム系列Ｃinit中にユーザ端末に通知されるシグナリング情報Ｘが含まれている。
【００３４】
【数３】
2014064120.tif 000005
【００３５】
このように、ＣＳＩ−ＲＳ系列ｒl,ns（ｍ）を生成する際に用いられる擬似ランダム系列も、ユーザ端末に通知されるシグナリング情報Ｘが規定されている。なお、無線基地局は、ＤＭ−ＲＳにおけるシグナリング情報Ｘと、ＣＳＩ−ＲＳにおけるシグナリング情報Ｘをそれぞれ個別に設定でき、同一又は異なる値を設定してユーザ端末に通知する。
【００３６】
また、シグナリング情報Ｘは、上位レイヤシグナリング（例えば、ＲＲＣシグナリング）で無線基地局からユーザ端末に通知することができる。ユーザ端末は、無線基地局からシグナリング情報Ｘが通知されない場合には、ＸとしてセルＩＤ（ＮIDcell）を適用することができる。Ｒｅｌ．１０では、ＸがセルＩＤで規定されていたため、Ｘを仮想セルＩＤ（ｖｉｒｔｕａｌ  セルＩＤ）と考えることもできる。
【００３７】
このように、本実施の形態で適応するＤＭ−ＲＳ、ＣＳＩ−ＲＳの参照信号系列では、セルＩＤを利用した擬似ランダム系列を用いて参照信号系列を生成するのでなく、ユーザ端末に通知するＸを設定する。これにより、マクロ基地局ｅＮＢと遠隔無線装置ＲＲＥのセルＩＤとが異なる環境（第１ヘテロジニアス環境）におけるＣｏＭＰ適用時や、両者のセルＩＤが同じとなる環境（第２ヘテロジニアス環境）におけるシングルセル送信時において、参照信号系列を適切に制御することが可能となる。
【００３８】
なお、各送信ポイント（無線基地局）は、ＣｏＭＰ送信の適用の有無、ＣｏＭＰ送信の方式（Joint  Transmission、Dynamic  Point  Selection等）、ユーザ端末の位置等のいずれか又は全部を考慮して、各ユーザ端末に通知するＸを設定することができる。例えば、サービングセルとなる送信ポイントから送信するＤＭ−ＲＳやＣＳＩ−ＲＳの擬似ランダム系列に対するシグナリング情報ＸはセルＩＤと同じに設定することができる。また、セルＩＤが異なる送信ポイントからそれぞれＤＭ−ＲＳを送信する場合において、ＣｏＭＰを適用するユーザ端末に対して、各ＤＭ−ＲＳの擬似ランダム系列に対するシグナリング情報Ｘを同じ値とすることができる。
【００３９】
本実施の形態では、ユーザ端末が複数の送信ポイントからそれぞれ送信される参照信号（ＤＭ−ＲＳやＣＳＩ−ＲＳ）の疑似ランダム系列に対して通知されるシグナリング情報を利用して、各下りリンク信号間の関係（Ｑｕａｓｉ  ｃｏ−ｌｏｃａｔｉｏｎであるか否か）を判断する。そして、各下りリンク信号同士の関係に基づいて、受信処理（例えば、チャネル推定、同期処理、復調処理、フィードバック情報（ＣＳＩ）生成処理等の信号処理）を制御する。
【００４０】
以下に、各下りリンク信号間の関連性（Ｑｕａｓｉ  ｃｏ−ｌｏｃａｔｉｏｎの有無）の判断方法について、図面を参照して具体的に説明する。なお、以下の説明では、送信ポイントが２つの場合について説明するが、送信ポイント数はこれに限られない。また、下記の説明は一例であり本実施の形態はこれに限られない。
【００４１】
（第１の態様）
第１の態様では、ユーザ端末が、ＤＭ−ＲＳの疑似ランダム系列（スクランブル系列）に対して通知されるシグナリング情報Ｘ（以下、単に「シグナリング情報Ｘ」とも記す）と、サービングセルのセルＩＤとに基づいて、Ｑｕａｓｉ  ｃｏ−ｌｏｃａｔｉｏｎの有無を判断する場合について図４Ａ、Ｂを参照して説明する。
【００４２】
また、Ｒｅｌ．１１では、ＤＭ−ＲＳとして、既存のＰＤＳＣＨに対するＤＭ−ＲＳと、新たに規定される拡張ＰＤＣＣＨ（ｅＰＤＣＣＨ）に対するＤＭ−ＲＳがあるが、以下の説明では、単にＤＭ−ＲＳとして説明する。なお、拡張ＰＤＣＣＨは、既存システム（ＬＴＥ  Ｒｅｌ．１０）のデータ領域において、ＰＤＳＣＨと時間分割多重するように設けられる制御領域を指す。拡張ＰＤＣＣＨは、データ信号（ＰＤＳＣＨ信号）と同様に、ＤＭ−ＲＳに基づいて復調処理を行うことができる。
【００４３】
例えば、ユーザ端末は、同期信号（ＰＳＳ／ＳＳＳ）とＤＭ−ＲＳとがＱｕａｓｉ  ｃｏ−ｌｏｃａｔｉｏｎである送信ポイントから送信された信号であるか否か判断するために、シグナリング情報ＸとサービングセルのセルＩＤを比較する。シグナリング情報ＸとサービングセルのセルＩＤが異なる値（例えば、サービングセルＩＤが「１」、シグナリング情報Ｘが「５」）の場合には、ユーザ端末は、同期信号（ＰＳＳ／ＳＳＳ）とＤＭ−ＲＳがＱｕａｓｉ  ｃｏ−ｌｏｃａｔｉｏｎされていないと判断する。つまり、ユーザ端末は、同期信号とＤＭ−ＲＳが地理的に異なる送信ポイントからそれぞれ送信された信号であると判断する。
【００４４】
また、ユーザ端末は、ＣＲＳとＤＭ−ＲＳとがＱｕａｓｉ  ｃｏ−ｌｏｃａｔｉｏｎである送信ポイントから送信された信号であるか否か判断するために、シグナリング情報ＸとサービングセルのセルＩＤを比較する。シグナリング情報ＸとサービングセルのセルＩＤが異なる値の場合には、ユーザ端末は、ＣＲＳとＤＭ−ＲＳがＱｕａｓｉ  ｃｏ−ｌｏｃａｔｉｏｎされていないと判断する。つまり、ユーザ端末は、ＣＲＳとＤＭ−ＲＳが地理的に異なる送信ポイントからそれぞれ送信された信号であると判断する。
【００４５】
このように、同期信号及び／又はＣＲＳと、ＤＭ−ＲＳとがＱｕａｓｉ  ｃｏ−ｌｏｃａｔｉｏｎされていない場合、ユーザ端末がこれらの同期信号、ＣＲＳ、ＤＭ−ＲＳを用いてチャネル推定、同期処理、復調処理等の受信処理を行うと受信精度が低下してしまう。そのため、ユーザ端末は、同期信号及び／又はＣＲＳと地理的に同一の送信ポイントから送信される（Ｑｕａｓｉ  ｃｏ−ｌｏｃａｔｉｏｎとなる）ＤＭ−ＲＳ、又は、ＤＭ−ＲＳとＱｕａｓｉ  ｃｏ−ｌｏｃａｔｉｏｎとなる同期信号及び／又はＣＲＳを新たに受信して、受信処理を行う。
【００４６】
なお、ＤＭ−ＲＳ系列ｒ（ｍ）としては、上述した（式１）又は（式２）を適用することができる。また、本実施の形態では、ユーザ端末は、Ｑｕａｓｉ  ｃｏ−ｌｏｃａｔｉｏｎと判断された下りリンク信号毎にチャネル推定、同期処理、復調処理等の受信処理を行うが、この際、各受信処理としてはＬＴＥ  Ｒｅｌ．１０と同様の方法を適用することができる。
【００４７】
このように、ユーザ端末がＤＭ−ＲＳの疑似ランダム系列に対して通知されるシグナリング情報Ｘを利用して、各下りリンク信号間の関係（Ｑｕａｓｉ  ｃｏ−ｌｏｃａｔｉｏｎの有無）を判断して信号処理を行うことにより、受信精度を維持することができる。
【００４８】
（第２の態様）
第２の態様では、ユーザ端末が、ＣＳＩ−ＲＳの疑似ランダム系列（スクランブル系列）に対して通知されるシグナリング情報Ｘ（以下、単に「シグナリング情報Ｘ」とも記す）と、サービングセルのセルＩＤとに基づいて、Ｑｕａｓｉ  ｃｏ−ｌｏｃａｔｉｏｎの有無を判断する場合について図５Ａ、Ｂを参照して説明する。
【００４９】
例えば、ユーザ端末は、同期信号（ＰＳＳ／ＳＳＳ）とＣＳＩ−ＲＳとがＱｕａｓｉ  ｃｏ−ｌｏｃａｔｉｏｎである送信ポイントから送信された信号であるか否か判断するために、シグナリング情報ＸとサービングセルのセルＩＤを比較する。シグナリング情報ＸとサービングセルのセルＩＤが異なる値（例えば、サービングセルＩＤが「１」、シグナリング情報Ｘが「５」）の場合には、ユーザ端末は、同期信号（ＰＳＳ／ＳＳＳ）とＣＳＩ−ＲＳがＱｕａｓｉ  ｃｏ−ｌｏｃａｔｉｏｎされていないと判断する。つまり、ユーザ端末は、同期信号とＣＳＩ−ＲＳが地理的に異なる送信ポイントからそれぞれ送信された信号であると判断する。
【００５０】
また、ユーザ端末は、ＣＲＳとＣＳＩ−ＲＳとがＱｕａｓｉ  ｃｏ−ｌｏｃａｔｉｏｎである送信ポイントから送信された信号であるか否か判断するために、シグナリング情報ＸとサービングセルのセルＩＤを比較する。シグナリング情報ＸとサービングセルのセルＩＤが異なる値の場合には、ユーザ端末は、ＣＲＳとＣＳＩ−ＲＳがＱｕａｓｉ  ｃｏ−ｌｏｃａｔｉｏｎされていないと判断する。つまり、ユーザ端末は、ＣＲＳとＣＳＩ−ＲＳが地理的に異なる送信ポイントから送信された信号であると判断する。
【００５１】
このように、同期信号及び／又はＣＲＳと、ＣＳＩ−ＲＳがＱｕａｓｉ  ｃｏ−ｌｏｃａｔｉｏｎされていない場合、ユーザ端末がこれらの同期信号、ＣＲＳ及びＣＳＩ−ＲＳを用いてチャネル推定、同期処理、チャネル品質情報生成等の受信処理を行うと受信精度が低下してしまう。そのため、ユーザ端末は、同期信号及び／又はＣＲＳとＱｕａｓｉ  ｃｏ−ｌｏｃａｔｉｏｎとなるＣＳＩ−ＲＳ、又は、ＣＳＩ−ＲＳとＱｕａｓｉ  ｃｏ−ｌｏｃａｔｉｏｎとなる同期信号及び／又はＣＲＳを新たに受信して、受信処理を行う。なお、ＣＳＩ−ＲＳ系列ｒl,ns（ｍ）としては、上述した（式３）を適用することができる。
【００５２】
このように、ユーザ端末がＣＳＩ−ＲＳの疑似ランダム系列に対して通知されるシグナリング情報Ｘを利用して、各下りリンク信号の種別（Ｑｕａｓｉ  ｃｏ−ｌｏｃａｔｉｏｎであるか否か）を判断して信号処理を行うことにより、受信精度を維持することができる。
【００５３】
（第３の態様）
第３の態様では、ＤＭ−ＲＳ（ＰＤＳＣＨ用のＤＭ−ＲＳ、ｅＰＤＣＣＨ用のＤＭ−ＲＳ）とＣＳＩ−ＲＳとがＱｕａｓｉ  ｃｏ−ｌｏｃａｔｉｏｎである送信ポイントから送信された信号であるか否か判断する方法について、図６Ａ、Ｂを参照して説明する。
【００５４】
ユーザ端末は、ＤＭ−ＲＳの疑似ランダム系列に対してユーザ端末に通知されるシグナリング情報Ｘ１（以下、単に「シグナリング情報Ｘ１」とも記す）と、ＣＳＩ−ＲＳの疑似ランダム系列に対してユーザ端末に通知されるシグナリング情報Ｘ２（以下、単に「シグナリング情報Ｘ２」とも記す）を比較する。シグナリング情報Ｘ１とシグナリング情報Ｘ２が異なる値（例えば、シグナリング情報Ｘ１が「５」、シグナリング情報Ｘ２が「１０」）の場合には、ユーザ端末は、ＤＭ−ＲＳとＣＳＩ−ＲＳがＱｕａｓｉ  ｃｏ−ｌｏｃａｔｉｏｎされていないと判断する。つまり、ユーザ端末は、ＤＭ−ＲＳとＣＳＩ−ＲＳが地理的に異なる送信ポイントから送信された信号であると判断する。
【００５５】
一方で、シグナリング情報Ｘ１とシグナリング情報Ｘ２が同じ値の場合には、ユーザ端末は、ＤＭ−ＲＳとＣＳＩ−ＲＳがＱｕａｓｉ  ｃｏ−ｌｏｃａｔｉｏｎされていると判断する。つまり、ユーザ端末は、ＤＭ−ＲＳとＣＳＩ−ＲＳが地理的に同一の送信ポイントから送信された信号であると判断する。
【００５６】
ＤＭ−ＲＳと、ＣＳＩ−ＲＳがＱｕａｓｉ  ｃｏ−ｌｏｃａｔｉｏｎされていない場合に、ユーザ端末がこれらのＤＭ−ＲＳ及びＣＳＩ−ＲＳを用いてチャネル推定、復調処理等の受信処理を行うと受信精度が劣化してしまう。そのため、ユーザ端末は、各参照信号の疑似ランダム系列に対して通知されるシグナリング情報が同一となるＤＭ−ＲＳ及び／又はＣＳＩ−ＲＳを新たに受信して、それぞれ独立して受信処理を行う。一方、シグナリング情報Ｘ１とシグナリング情報Ｘ２が同じ値の場合には、ユーザ端末は、これらのＤＭ−ＲＳ及びＣＳＩ−ＲＳを用いてチャネル推定、復調処理等の受信処理を行う。
【００５７】
なお、ＤＭ−ＲＳ系列ｒ（ｍ）としては、上述した（式１）又は（式２）を適用することができる。また、ＣＳＩ−ＲＳ系列ｒl,ns（ｍ）としては、上述した（式３）を適用することができる。
【００５８】
このように、ユーザ端末がＤＭ−ＲＳ、ＣＳＩ−ＲＳの疑似ランダム系列に対してそれぞれ通知されるシグナリング情報を利用して、各下りリンク信号の種別（Ｑｕａｓｉ  ｃｏ−ｌｏｃａｔｉｏｎであるか否か）を判断して信号処理を行うことにより、受信精度を維持することができる。
【００５９】
（第４の態様）
第４の態様では、ＣＳＩ−ＲＳの異なるアンテナポート（ＡＰ）間、又は、ＤＭ−ＲＳ（ＰＤＳＣＨ用のＤＭ−ＲＳ、ｅＰＤＣＣＨ用のＤＭ−ＲＳ）の異なるＡＰ間がＱｕａｓｉ  ｃｏ−ｌｏｃａｔｉｏｎであるか否か判断する方法について、図７Ａ、Ｂを参照して説明する。なお、図７では、ＤＭ−ＲＳを例に挙げた場合を示している。
【００６０】
ユーザ端末は、ＤＭ−ＲＳの異なるＡＰ間がＱｕａｓｉ  ｃｏ−ｌｏｃａｔｉｏｎであるか否か判断するために、各ＤＭ−ＲＳの疑似ランダム系列に対してユーザ端末に通知されるシグナリング情報Ｘを比較する。ＤＭ−ＲＳの異なるＡＰ（例えば、ＡＰ＃７、＃８とＡＰ＃９、１０）の疑似ランダム系列に対して通知されるシグナリング情報Ｘが異なる場合、ユーザ端末は、これらのＤＭ−ＲＳがＱｕａｓｉ  ｃｏ−ｌｏｃａｔｉｏｎされていないと判断する。つまり、ユーザ端末は、各ＡＰのＣＳＩ−ＲＳ（ＡＰ＃７、８と、ＡＰ＃９、１０）が地理的に異なる送信ポイントからそれぞれ送信された信号であると判断する。
【００６１】
各ＤＭ−ＲＳがＱｕａｓｉ  ｃｏ−ｌｏｃａｔｉｏｎされていない場合、ユーザ端末がこれらのＤＭ−ＲＳを用いてチャネル推定、復調処理等の受信処理を行うと受信処理精度が劣化してしまう。そのため、ユーザ端末は、シグナリング情報Ｘが異なるＤＭ−ＲＳ（ＡＰ＃７、８と、ＡＰ＃９、１０）毎にそれぞれ独立してチャネル推定を行った後、データの復調処理を行う。
【００６２】
また、ユーザ端末は、ＣＳＩ−ＲＳの異なるＡＰ間がＱｕａｓｉ  ｃｏ−ｌｏｃａｔｉｏｎであるか否か判断するために、各ＣＳＩ−ＲＳの疑似ランダム系列に対してユーザ端末に通知されるシグナリング情報Ｘを比較する。異なるＡＰ（例えば、ＡＰ＃１５とＡＰ＃１６）間でシグナリング情報Ｘが異なる場合、ユーザ端末は、これらのＣＳＩ−ＲＳがＱｕａｓｉ  ｃｏ−ｌｏｃａｔｉｏｎされていないと判断する。つまり、ユーザ端末は、各ＡＰのＣＳＩ−ＲＳが地理的に異なる送信ポイントからそれぞれ送信された信号であると判断する。
【００６３】
各ＣＳＩ−ＲＳがＱｕａｓｉ  ｃｏ−ｌｏｃａｔｉｏｎされていない場合、ユーザ端末がこれらのＣＳＩ−ＲＳを用いてチャネル推定、チャネル状態情報生成（例えば、ＣＱＩ生成）、復調処理等の受信処理を行うと受信精度が低下してしまう。そのため、ユーザ端末は、シグナリング情報Ｘが異なるＣＳＩ−ＲＳ毎にそれぞれ独立してチャネル推定、チャネル品質情報生成（ＣＳＩフィードバック）、復調処理等の受信処理等を行う。
【００６４】
このように、ユーザ端末がＤＭ−ＲＳ、ＣＳＩ−ＲＳの疑似ランダム系列に対してそれぞれ通知されるシグナリング情報を利用して、各下りリンク信号の種別（Ｑｕａｓｉ  ｃｏ−ｌｏｃａｔｉｏｎであるか否か）を判断して信号処理を行うことにより、受信精度を維持することができる。
【００６５】
（無線通信システム）
以下に、本発明の実施の形態に係る無線通信システムについて詳細に説明する。図８は、本実施の形態に係る無線通信システムのシステム構成の説明図である。この無線通信システムは、複数の無線基地局と、複数の無線基地局と協調マルチポイント送受信可能に構成されたユーザ端末と、を備えている。なお、図８に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良く、４Ｇと呼ばれても良い。
【００６６】
図８に示すように、無線通信システム１は、無線基地局２０Ａ，２０Ｂと、この無線基地局２０Ａ，２０Ｂと通信する複数の第１、第２のユーザ端末１０Ａ，１０Ｂとを含んで構成されている。無線基地局２０Ａ，２０Ｂは、上位局装置３０と接続され、この上位局装置３０は、コアネットワーク４０と接続される。また、無線基地局２０Ａ，２０Ｂは、有線接続又は無線接続により相互に接続されている。第１、第２のユーザ端末１０Ａ，１０Ｂは、セルＣ１，Ｃ２において無線基地局２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。なお、セル間では、必要に応じて、複数の基地局によりＣｏＭＰ送信の制御が行われる。
【００６７】
第１、第２のユーザ端末１０Ａ，１０Ｂは、ＬＴＥ端末及びＬＴＥ−Ａ端末を含むが、以下においては、特段の断りがない限り第１、第２のユーザ端末として説明を進める。また、説明の便宜上、無線基地局２０Ａ，２０Ｂと無線通信するのは第１、第２のユーザ端末１０Ａ，１０Ｂであるものとして説明するが、より一般的にはユーザ端末も固定端末装置も含むユーザ装置（ＵＥ）でよい。
【００６８】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００６９】
下りリンクの通信チャネルは、第１、第２のユーザ端末１０Ａ，１０Ｂで共有される下りデータチャネルとしてのＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）と、拡張制御チャネル（ｅＰＤＣＣＨ）とを有する。ＰＤＳＣＨにより、送信データ及び上位制御情報が伝送される。ＰＤＣＣＨ（Physical  Downlink  Control  Channel）、ｅＰＤＣＣＨ（enhanced  Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００７０】
上りリンクの通信チャネルは、各ユーザ端末で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクのチャネル状態情報（ＣＳＩ）、ＡＣＫ／ＮＡＣＫなどが伝送される。
【００７１】
図９を参照しながら、本実施の形態に係る無線基地局の全体構成について説明する。なお、無線基地局２０Ａ，２０Ｂは、同様な構成であるため、無線基地局２０として説明する。また、後述する第１、第２のユーザ端末１０Ａ，１０Ｂも、同様な構成であるため、ユーザ端末１０として説明する。
【００７２】
無線基地局２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより無線基地局２０からユーザ端末に送信される送信データは、上位局装置３０から伝送路インターフェース２０６を介してベースバンド信号処理部２０４に入力される。
【００７３】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【００７４】
また、ベースバンド信号処理部２０４は、報知チャネルにより、同一セルに接続するユーザ端末１０に対して、各ユーザ端末１０が無線基地局２０との無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【００７５】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。なお、送受信部２０３は、複数セル間の位相差の情報及びＰＭＩを含む上りリンク信号を受信する受信手段、及び参照信号を含む下りリンク信号をユーザ端末に送信する送信手段を構成する。
【００７６】
一方、上りリンクによりユーザ端末１０から無線基地局２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００７７】
ベースバンド信号処理部２０４は、上りリンクで受信したベースバンド信号に含まれる送信データに対して、ＦＦＴ（Fast  Fourier  Transform）処理、ＩＤＦＴ（Inverse  Discrete  Fourier  Transform）処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００７８】
呼処理部２０５は、通信チャネルの設定や解放等の呼処理や、無線基地局２０の状態管理や、無線リソースの管理を行う。
【００７９】
図１０は、図９に示す無線基地局におけるベースバンド信号処理部の構成を示すブロック図である。ベースバンド信号処理部２０４は、送信データ生成部２０４１と、ＲＳ系列生成部２０４２と、多重部２０４３と、ＩＦＦＴ（Inverse  Fast  Fourier  Transform）部２０４４と、ＣＰ（Cyclic  Prefix）付加部２０４５と、から主に構成されている。
【００８０】
送信データ生成部２０４１は、送信データのシンボル系列に対して誤り訂正符号化、インターリーバを施す。送信データ生成部２０４１は、送信データを誤り訂正符号化・インターリーブした後、送信データ系列（１つのＯＦＤＭシンボルを構成するｎビット）を直並列変換してサブキャリア変調用の複数系列のデータ信号を生成する。複数系列のデータ信号を生成してからインターリーブを施しても良い。送信データ生成部２０４１は、さらに複数系列のデータ信号を並列にサブキャリア変調する。
【００８１】
ＲＳ系列生成部２０４２は、ユーザ端末に通知するシグナリング情報Ｘを利用した擬似ランダム系列を用いて参照信号系列を生成する。ＲＳ系列生成部２０４２は、参照信号系列がＤＭ−ＲＳ系列である場合には、上記（式１）又は（式２）に示す擬似ランダム系列を用いたＤＭ−ＲＳ系列でＤＭ−ＲＳを生成することができる。ＲＳ系列生成部２０４２は、参照信号系列がＣＳＩ−ＲＳ系列である場合には、上記（式３）に示す擬似ランダム系列を用いたＣＳＩ−ＲＳ系列でＣＳＩ−ＲＳを生成することができる。なお、ＤＭ−ＲＳの疑似ランダム係数に対するシグナリング情報Ｘ、ＣＳＩ−ＲＳの疑似ランダム係数に対するシグナリング情報Ｘは、上位レイヤシグナリング（例えば、ＲＲＣシグナリング）でセミスタティックにユーザ端末に通知することができる。
【００８２】
ＲＳ系列生成部２０４２は、ユーザ端末に通知する疑似ランダム係数に対するシグナリング情報Ｘ、ＣＳＩ−ＲＳの疑似ランダム係数に対するシグナリング情報Ｘを、ＣｏＭＰ送信の適用の有無、ＣｏＭＰ送信の方式（Joint  Transmission、Dynamic  Point  Selection等）、ユーザ端末の位置等のいずれか又は全部を考慮して決定することができる。
【００８３】
多重部２０４３は、送信データとＲＳ（参照信号）とを無線リソースに多重する。ＩＦＦＴ部２０４４は、送信データとＲＳとがサブキャリアマッピングされた周波数領域の送信信号（サブキャリア信号）を逆高速フーリエ変換する。逆高速フーリエ変換によってサブキャリアに割り当てられた周波数成分の信号が時間成分の信号列に変換される。その後、ＣＰ付加部２０４５でサイクリックプレフィックスが付加される。
【００８４】
次に、図１１を参照しながら、本実施の形態に係るユーザ端末の全体構成について説明する。ＬＴＥ端末もＬＴＥ-Ａ端末もハードウエアの主要部構成は同じであるので、区別せずに説明する。ユーザ端末１０は、送受信アンテナ１０１と、アンプ部１０２と、送受信部（受信部）１０３と、ベースバンド信号処理部１０４と、アプリケーション部１０５とを備えている。
【００８５】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００８６】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ（Discrete  Fourier  Transform）処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。なお、送受信部１０３は、下りリンク信号を受信する受信手段を構成する。
【００８７】
図１２は、図１１に示すユーザ端末におけるベースバンド信号処理部の構成を示すブロック図である。ベースバンド信号処理部１０４は、ＣＰ除去部１０４１と、ＦＦＴ部１０４２と、分離部１０４３と、チャネル推定部１０４４と、復調部１０４５と、フィードバック情報生成部１０４６と、判断部１０４７と、から主に構成されている。
【００８８】
ＣＰ除去部１０４１は、受信信号からサイクリックプレフィックスを除去する。ＦＦＴ部１０４２は、ＣＰ除去された受信信号を高速フーリエ変換して時系列の信号成分を周波数成分の列に変換する。分離部１０４３は、受信信号をサブキャリアデマッピングして、ＲＳ、共有チャネル信号（データ信号）を分離する。参照信号（ＤＭ−ＲＳ、ＣＳＩ−ＲＳ）は、判断部１０４７に出力される。
【００８９】
判断部１０４７は、参照信号（ＤＭ−ＲＳ、ＣＳＩ−ＲＳ等）の疑似ランダム系列に対して通知されるシグナリング情報Ｘに基づいて、各下りリンク信号間の関係（各下りリンク信号同士がＱｕａｓｉ  ｃｏ−ｌｏｃａｔｉｏｎである送信ポイントから送信された信号であるか否か）を判断する。下りリンク信号としては、同期信号（ＰＳＳ／ＳＳＳ）、ＣＲＳ、ＤＭ−ＲＳ、ＣＳＩ−ＲＳ等が挙げられる。
【００９０】
例えば、上記第１の態様、第２の態様において、判断部１０４７は、参照信号の疑似ランダム係数に対して通知されるシグナリング情報Ｘと、サービングセルのセルＩＤとを比較して、Ｑｕａｓｉ  ｃｏ−ｌｏｃａｔｉｏｎの判断を行う。シグナリング情報ＸとサービングセルのセルＩＤが異なる場合、判断部１０４７は、同期信号（ＰＳＳ／ＳＳＳ）やＣＲＳと、ＣＳＩ−ＲＳやＤＭ−ＲＳとがＱｕａｓｉ  ｃｏ−ｌｏｃａｔｉｏｎされていないと判断する。そして、判断部１０４７は判断結果をチャネル推定部、復調部、フィードバック情報生成部等を含む信号処理部１０５０に出力する。
【００９１】
また、上記第３の態様において、判断部１０４７は、ＤＭ−ＲＳの疑似ランダム係数に対して通知されるシグナリング情報Ｘ１と、ＤＭ−ＲＳの疑似ランダム係数に対して通知されるシグナリング情報Ｘ２とを比較して、ＤＭ−ＲＳとＣＳＩ−ＲＳ間のＱｕａｓｉ  ｃｏ−ｌｏｃａｔｉｏｎの判断を行う。そして、判断部１０４７は判断結果を信号処理部１０５０に出力する。
【００９２】
また、第４の態様において、判断部１０４７は、ＣＳＩ−ＲＳの異なるＡＰ間がＱｕａｓｉ  ｃｏ−ｌｏｃａｔｉｏｎであるか否か判断するために、各ＣＳＩ−ＲＳの疑似ランダム系列に対してユーザ端末に通知されるシグナリング情報Ｘを比較する。あるいは、判断部１０４７は、ＤＭ−ＲＳの異なるＡＰ間がＱｕａｓｉ  ｃｏ−ｌｏｃａｔｉｏｎであるか否か判断するために、各ＤＭ−ＲＳの疑似ランダム系列に対してユーザ端末に通知されるシグナリング情報Ｘを比較する。そして、判断部１０４７は判断結果を信号処理部１０５０に出力する。
【００９３】
信号処理部１０５０は、判断部１０４７から出力された下りリンク信号間の関係に基づいて、チャネル推定、同期処理、復調処理、フィードバック情報（ＣＳＩ）生成処理等の信号処理を行う。例えば、判断部１０４７において、Ｑｕａｓｉ  ｃｏ−ｌｏｃａｔｉｏｎであると判断された下りリンク信号毎にそれぞれ独立して、チャネル推定、同期処理、復調処理、フィードバック情報（ＣＳＩ）生成処理等を行う。つまり、セルＩＤとユーザ端末に通知されるシグナリング情報Ｘが同一となる下りリンク信号毎にこれらの処理を行う。
【００９４】
例えば、チャネル推定部１０４４は、判断部１０４７においてＱｕａｓｉ  ｃｏ−ｌｏｃａｔｉｏｎである判断されたＤＭ−ＲＳ及びＣＳＩ−ＲＳを用いてチャネル推定する。チャネル推定部１０４４は、ＤＭ−ＲＳを用いて得られたチャネル推定値を復調部１０４５に出力し、ＣＳＩ−ＲＳを用いて得られたチャネル推定値をフィードバック情報生成部１０４６に出力する。復調部１０４５は、チャネル推定値を用いて共有チャネル信号を復調する。
【００９５】
フィードバック情報生成部１０４６は、得られたチャネル推定値を用いてＣＳＩ（フィードバック情報）を生成する。ＣＳＩとしては、セル毎ＣＳＩ（ＰＭＩ、ＣＤＩ、ＣＱＩ）、セル間ＣＳＩ（位相差情報、振幅差情報）、ＲＩ（Rank  Indicator）などが挙げられる。これらのＣＳＩは、ＰＵＣＣＨやＰＵＳＣＨで無線基地局にフィードバックされる。
【００９６】
本実施の形態においては、チャネル推定部１０４４、復調部１０４５及びフィードバック情報生成部１０４６が、無線基地局から送信された参照信号系列の中でユーザ端末に通知されるシグナリング情報Ｘが同じ参照信号を用いて信号処理を行う信号処理部である。参照信号系列がＤＭ−ＲＳ系列の場合には、信号処理部がチャネル推定部１０４４及び復調部１０４５であり、参照信号系列がＣＳＩ−ＲＳ系列の場合には、信号処理部がチャネル推定部１０４４及びフィードバック情報生成部１０４６である。
【００９７】
上記構成を有する無線通信システムにおいては、まず、無線基地局のＲＳ系列生成部２０４２において、ユーザ端末に通知するシグナリング情報を利用した擬似ランダム系列を用いて参照信号系列を生成する。このとき、参照信号系列がＤＭ−ＲＳ系列である場合には、上記（式１）又は（式２）に示す擬似ランダム系列を用いたＤＭ−ＲＳ系列でＤＭ−ＲＳを生成する。また、参照信号系列がＣＳＩ−ＲＳ系列である場合には、上記（式３）に示す擬似ランダム系列を用いたＣＳＩ−ＲＳ系列でＣＳＩ−ＲＳを生成する。また、（式１）〜（式３）の擬似ランダム系列におけるシグナリング情報を上位レイヤシグナリング（例えば、ＲＲＣシグナリング）でセミスタティックにユーザ端末に通知する。
【００９８】
次いで、ユーザ端末において、参照信号の疑似ランダム系列に対して通知されるシグナリング情報Ｘに基づいて、各下りリンク信号の種別（Ｑｕａｓｉ  ｃｏ−ｌｏｃａｔｉｏｎであるか否か）を判断し、下りリンク信号の種別毎にチャネル推定、同期処理、復調処理、フィードバック情報（ＣＳＩ）生成処理等の信号処理を行う。このように、ユーザ端末において、各下りリンク信号同士のＱｕａｓｉ  ｃｏ−ｌｏｃａｔｉｏｎを判断して、信号処理（受信処理）を行うことにより、複数の送信ポイントから下りリンク信号を受信する場合であっても、受信精度（ＤＭ−ＲＳ又はＣＳＩ−ＲＳのチャネル推定精度、ＰＤＳＣＨの復調精度、ＣＳＩ精度）を維持することができる。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１００】
１  無線通信システム
１０  ユーザ端末
２０  無線基地局
３０  上位局装置
４０  コアネットワーク
１０１  送受信アンテナ
１０２  アンプ部
１０３  送受信部（受信部）
１０４  ベースバンド信号処理部
１０５  アプリケーション部
２０１  送受信アンテナ
２０２  アンプ部
２０３  送受信部（通知部）
２０４  ベースバンド信号処理部
２０５  呼処理部
２０６  伝送路インターフェース
１０４１  ＣＰ除去部
１０４２  ＦＦＴ部
１０４３  分離部
１０４４  チャネル推定部
１０４５  復調部
１０４６  フィードバック情報生成部
１０４７  判断部
１０５０  信号処理部
２０４１  送信データ生成部
２０４２  ＲＳ系列生成部
２０４３  多重部
２０４４  ＩＦＦＴ部
２０４５  ＣＰ付加部
【図１】
2014064120.tif 000008
【図２】
2014064120.tif 000009
【図３】
2014064120.tif 000010
【図４】
2014064120.tif 000011
【図５】
2014064120.tif 000012
【図６】
2014064120.tif 000013
【図７】
2014064120.tif 000014
【図８】
2014064120.tif 000015
【図９】
2014064120.tif 000016
【図１０】
2014064120.tif 000017
【図１１】
2014064120.tif 000018
【図１２】
2014064120.tif 000019